(57)【要約】【課題】手動設定可能なメカニカルスイッチによって設定変更を極めて簡単に行うことが可能であり、且つ安価なPoE給電側スイッチングハブを提供する。【解決手段】PoE給電優先順位およびPoE供給電力量クラスのいずれか一方または両方を設定変更するメカニカルスイッチを備える。【選択図】図１
0003126257.tif 000002
【実用新案登録請求の範囲】
【請求項１】
PoE給電優先順位およびPoE供給電力量クラスのいずれか一方または両方を設定変更するメカニカルスイッチを備えていることを特徴とするPoE給電側スイッチングハブ。
【請求項２】
PoE給電優先順位は、各ポート毎にDISABLE/LOW/HIGH/CRITICALの４段階に設定することができることを特徴とする請求項１記載のPoE給電側スイッチングハブ。
【請求項３】
PoE供給電力量クラスは、各ポート毎にClass 0/1/2/3の４段階に設定することができることを特徴とする請求項１記載のPoE給電側スイッチングハブ。
【請求項４】
メカニカルスイッチとして、FE/PoEポートの状態を各ポート毎に表示するポート状態・設定値確認用LEDの表示モードを選択するモード選択プッシュスイッチを備えていることを特徴とする請求項１ないし３のいずれかに記載のPoE給電側スイッチングハブ。
【請求項５】
メカニカルスイッチとして、設定変更を行うPoEポート＃の選択と設定を行うポート選択・設定用プッシュスイッチを備えていることを特徴とする請求項１ないし３のいずれかに記載のPoE給電側スイッチングハブ。
【請求項６】
メカニカルスイッチとして、設定変更内容を選択する設定値選択ディップスイッチを備えていることを特徴とする請求項１ないし３のいずれかに記載のPoE給電側スイッチングハブ。
【請求項７】
メカニカルスイッチを介した手動設定を制御するPoE機能制御部を持つFPGAもしくは１チップマイコンを備えていることを特徴とする請求項１ないし６のいずれかに記載のPoE給電側スイッチングハブ。
【請求項８】
PoE機能制御部は、メカニカルスイッチの状態変化を検出するメカニカルスイッチモニタを備えていることを特徴とする請求項７記載のPoE給電側スイッチングハブ。
【請求項９】
PoE機能制御部は、メカニカルスイッチモニタからメカニカルスイッチの状態を取得してPoE設定値を更新するPoEコンフィギュレーションコントローラを備えていることを特徴とする請求項８記載のPoE給電側スイッチングハブ。
【請求項１０】
PoE機能制御部は、PoEコンフィギュレーションコントローラからPoE設定値を取得して設定変更を行うPoEボードコントローラを備えていることを特徴とする請求項９記載のPoE給電側スイッチングハブ。
【請求項１１】
PoE機能制御部は、PoEボードコントローラからPoEボードの現在状態を取得するPoE状態モニタを備えていることを特徴とする請求項１０記載のPoE給電側スイッチングハブ。
【請求項１２】
PoE機能制御部は、PoE状態モニタとPoEコンフィギュレーションコントローラからそれぞれPoEボードの現在状態ならびに設定状態を取得してLEDを制御するLEDコントローラを備えていることを特徴とする請求項１１記載のPoE給電側スイッチングハブ。
【考案の詳細な説明】
【技術分野】
【０００１】
本考案は、手動による設定変更を可能としたPoE給電側スイッチングハブに関するものである。
【背景技術】
【０００２】
PoE（Power over Ethernet(登録商標））における給電側のスイッチングハブとしては、たとえば図８に例示したように、ＣＰＵやメモリを搭載してソフトウェア制御可能に構築されたものが知られている。
【考案の開示】
【考案が解決しようとする課題】
【０００３】
しかしながら、このPoE給電側スイッチングハブでは、ネットワークを経由した遠隔制御などの各種の高度な機能を実行可能であるものの、機能が高度化するほど高価にならざるを得ず、その一方で、設定変更等をコンピュータやネットワークを介さずに手動で行うことが可能で、且つ安価なスイッチングハブの実現が望まれている。
【０００４】
そこで、本考案は、諸設定を手動で行うことができ且つ安価なPoE給電側スイッチングハブを提供することを課題としている。
【課題を解決するための手段】
【０００５】
上記課題を達成するために、本考案のPoE給電側スイッチングハブは、第１には、PoE給電優先順位およびPoE供給電力量クラスのいずれか一方または両方を設定変更するメカニカルスイッチを備えていることを特徴とする。
【０００６】
第２には、PoE給電優先順位は、各ポート毎にDISABLE/LOW/HIGH/CRITICALの４段階に設定することができることを特徴とする。
【０００７】
第３には、PoE供給電力量クラスは、各ポート毎にClass 0/1/2/3の４段階に設定することができることを特徴とする。
【０００８】
第４には、メカニカルスイッチとして、FE/PoEポートの状態を各ポート毎に表示するポート状態・設定値確認用LEDの表示モードを選択するモード選択プッシュスイッチを備えていることを特徴とする。
【０００９】
第５には、メカニカルスイッチとして、設定変更を行うPoEポート＃の選択と設定を行うポート選択・設定用プッシュスイッチを備えていることを特徴とする。
【００１０】
第６には、メカニカルスイッチとして、設定変更内容を選択する設定値選択ディップスイッチを備えていることを特徴とする。
【００１１】
第７には、メカニカルスイッチを介した手動設定を制御するPoE機能制御部を持つFPGAもしくは１チップマイコンを備えていることを特徴とする。
【００１２】
第８には、PoE機能制御部は、メカニカルスイッチの状態変化を検出するメカニカルスイッチモニタを備えていることを特徴とする。
【００１３】
第９には、PoE機能制御部は、メカニカルスイッチモニタからメカニカルスイッチの状態を取得してPoE設定値を更新するPoEコンフィギュレーションコントローラを備えていることを特徴とする。
【００１４】
第１０には、PoE機能制御部は、PoEコンフィギュレーションコントローラからPoE設定値を取得して設定変更を行うPoEボードコントローラを備えていることを特徴とする。
【００１５】
第１１には、PoE機能制御部は、PoEボードコントローラからPoEボードの現在状態を取得するPoE状態モニタを備えていることを特徴とする。
【００１６】
第１２には、PoE機能制御部は、PoE状態モニタとPoEコンフィギュレーションコントローラからそれぞれPoEボードの現在状態ならびに設定状態を取得してLEDを制御するLEDコントローラを備えていることを特徴とする。
【考案の効果】
【００１７】
上記のとおりの特徴を有する本考案によれば、手動設定可能なメカニカルスイッチを設けたことで、設定変更を極めて簡単に行うことが可能であって、従来のソフトウェア制御可能なスイッチングハブと比較してより安価な、PoE給電側スイッチングハブが提供される。
【考案を実施するための最良の形態】
【００１８】
図１は、本考案のPoE給電側スイッチングハブの一実施形態を示した概略外観図である。
【００１９】
本実施形態のPoE給電側スイッチングハブは、図１に示すように、メカニカルスイッチを有しており、このメカニカルスイッチによって手動で各種の設定を行うことが可能となっている。
【００２０】
設定可能な機能としては、PoE給電優先順位およびPoE供給電力量クラスがある。
【００２１】
PoE給電優先順位は、各ポート毎にPoE給電優先順位をDISABLE/LOW/HIGH/CRITICALの４段階に設定することができる。
【００２２】
PoE供給電力量クラスは、各ポート毎にPoE給電クラスをClass 0/1/2/3の４段階に設定することができる。
【００２３】
これらの設定変更を手動で可能ならしめるメカニカルスイッチとしては、モード選択スイッチ(LED Mode Select Switch)１、ポート選択・設定用プッシュスイッチ(Configuration Push Switch)２、設定値選択ディップスイッチ(Configuration Select Dip Switch)３を備えている。
【００２４】
モード選択プッシュスイッチ１は、FE/PoEポートの状態を各ポート毎に表示するポート状態・設定値確認用LED(FE/PoE Port Status LED)４の表示モードを選択する、つまりポート状態・設定値確認用LED４に表示する情報を選択するプッシュスイッチである。本実施形態では下記に示す４種類のモードを選択することができる。
【００２５】
モード１．リンク状態表示（初期値）
モード２．給電状態表示
モード３．優先順位設定値表示
モード４．供給電力量クラス設定表示
ポート状態・設定値確認用LED４にてモード１を表示している状態からモード選択プッシュスイッチ１を押下すると、モード２が表示される。以後押下する度に、モード２からモード３、モード３からモード４が表示され、モード４を表示している状態からはモード１が表示される。現在選択中のモードは、たとえば図２に示したように、モード１〜モード４を順に表示するモード表示用LED(LED Mode LED)５で確認することができる。
【００２６】
ポート選択・設定用プッシュスイッチ２は、設定変更を行うPoEポート＃の選択と設定を行うプッシュスイッチである。このポート選択・設定用プッシュスイッチ２は、上記のモード３もしくはモード４を選択中のみ動作する。
【００２７】
ポート選択・設定用プッシュスイッチ２に対し、１秒以内の押下であるショートプッシュを行うことで、設定変更したいポートを選択することができる。モード選択プッシュスイッチ１と同様に、１番からＮ番まで押下するたびにポートを順番に選択することができる。選択したポートのポート状態・設定値確認用LED４は、たとえば図３に示したように、設定値を点滅で表示する。初期状態ではポート１番が選択状態にある。
【００２８】
一方、１秒以上の押下であるロングプッシュを行うことで、次述の設定値選択ディップスイッチ３で選択した設定値を反映することができる。たとえば図４に示したように、設定値選択ディップスイッチ３で選択した設定値が現在の設定値と異なる場合、点滅の速度が速くなる（図４中の真ん中図）。設定が反映されると、点滅の速度が元に戻る（図４の最下図）。ロングプッシュを実行せずにショートプッシュすると、選択した設定値を反映することなく次のポートの設定変更を行うことになる。
【００２９】
設定値選択ディップスイッチ３は、設定変更内容を選択するディップスイッチである。この設定値選択ディップスイッチ３も、上記のモード３もしくはモード４を選択中のみ動作する。図５（ａ）〜（ｄ）では、順に、優先順位LOWまたは給電クラス１を選択中であること、優先順位HIGHまたは給電クラス２を選択中であること、優先順位CRITICALまたは給電クラス３を選択中であること、優先順位DISABLEまたは給電クラス０を選択中であることを示している。
【００３０】
以下に、図６（ａ）〜（ｅ）を用いて、PoE給電優先順位の設定手順の一例を説明する。本例では、ポート５番のPoE優先順位をLOWからCRITICALに変更設定する手順を示す。PoE給電電力量クラスの設定手順については、同様の手順で設定変更するので説明を省略する。
【００３１】
まず、モード選択プッシュスイッチ１を２回ショートプッシュして、ポート１番に対して設定されている初期状態のモード１（図６（ａ）参照）を、モード３に切り替える（図６（ｂ）参照）。このとき、図６（ｂ）に示すように、ポート１番に対応するポート状態・設定値確認用LED４が遅い点滅を行う。
【００３２】
次に、ポート選択・設定用プッシュスイッチ２を４回ショートプッシュして、ポート５番を選択する（図６（ｃ）参照）。このとき、図６（ｃ）に示すように、ポート５番に対応するポート状態・設定値確認用LED４が遅い点滅を行う。
【００３３】
続いて、設定値選択ディップスイッチ３を設定値CRITICALにあわせる（図６（ｄ），図５（ｃ）参照）。選択した値が現在状態とは異なる選択値である場合、図６（ｄ）に示すように、ポート５番に対応するポート状態・設定値確認用LED４の遅い点滅が早い点滅に変わる。
【００３４】
そして、ポート選択・設定用プッシュスイッチ２を１回ロングプッシュする（図６（ｅ）参照）。設定が反映されると、図６（ｅ）に示すように、ポート状態・設定値確認用LED４の早い点滅が遅い点滅に変わる。
【００３５】
以上のとおりのPoE給電優先順位およびPoE供給電力量クラスの手動設定を上記メカニカルスイッチにより可能ならしめる図１の実施形態は、さらに、リセットスイッチ(Reset Switch)６、Power/Fault LED７、PoEメータLED(PoE Meter LED)８、PoE FEポート(PoE FE Port)９、GbE T 状態LED(GbE T Status LED)１０、アップリンク GbE コンボポート(Up-Link GbE Combo Port)１１、GbE SFP 状態LED (GbE SFP Status LED)１２を備えている。
【００３６】
リセットスイッチ６は、システムリセットを実行するプッシュスイッチである。
【００３７】
Power/Fault LED７は、電源状態およびシステム状態を表示するLEDである。
【００３８】
PoE メータLED８は、システム全体のPoE給電状態を表示するLEDである。
【００３９】
PoE FEポート９は、10/100 RJ45ポートである。
【００４０】
GbE T 状態LED１０は、10/100/1000でリンクアップした場合のリンク状態を表示するLEDである。
【００４１】
アップリンクGbEコンボポート１１は、10/100/1000のRJ45とSFPのどちらかが有効になるGbEポートである。
【００４２】
GbE SFP 状態LED１２は、SFPでリンクアップした場合のリンク状態を表示するLEDである。
【００４３】
これら各種スイッチおよびLEDを備えた本実施形態のスイッチングハブの内部構成については、たとえば図７に例示したように、ＦＰＧＡ(Field Programmable Gate Array)またはMicro-Controllerを備え、これにPoE機能制御部(PoE Function Management Block)が内蔵されている。
【００４４】
PoE機能制御部は、従来のスイッチングハブにてＣＰＵが行っている機能をＦＰＧＡもしくは１チップマイコンで実行するものであり、メカニカルスイッチモニタ(Mechanical Switch Monitor)、PoEコンフィギュレーションコントローラ(PoE Configuration Controller)、PoEボードコントローラ(PoE Board Controller)、PoE状態モニタ(PoE Status Monitor)、LEDコントローラ(LED Controller)を備えている。
【００４５】
メカニカルスイッチモニタは、メカニカルスイッチの状態変化を検出してPoEコンフィギュレーションコントローラへ通知する。
【００４６】
PoEコンフィギュレーションコントローラは、メカニカルスイッチモニタからメカニカルスイッチの状態を取得してPoE設定値を更新する。また、設定変更後、PoEボードコントローラへ設定状態を通知する。
【００４７】
PoEボードコントローラは、PoEコンフィギュレーションコントローラからPoE設定値を取得して設定変更を行う。また、PoEボードから現在状態を取得してPoE状態モニタへ通知する。
【００４８】
PoE状態モニタは、PoEボードコントローラからPoEボードの現在状態を取得してLEDコントローラへ通知する。
【００４９】
LEDコントローラは、PoE状態モニタとPoEコンフィギュレーションコントローラからそれぞれPoEボードの現在状態ならびに設定状態を取得してLEDを点灯、点滅、消灯する。
【００５０】
以上のとおりの本実施形態のPoE給電側スイッチングハブは、手動による設定変更機能を実現することにより、ＰＣを操作することができないユーザでもPoE設定を変更することがでる。
【００５１】
また、従来のスイッチングハブで用いられているＣＰＵ、FlashＲＯＭ、ＳＤＲＯＭ、ＰＬＤ(Programmable Logic Device)がＦＰＧＡもしくは１チップマイコンになることで、部品コストの削減や消費電力量の削減につながる。
【００５２】
さらには、ＯＳの介在がなくなるので、現在状態の確認から表示までのリアルタイム性の向上をはかることができる。
【図面の簡単な説明】
【００５３】
【図１】本考案のPoE給電側スイッチングハブの一実施形態を示した概略外観図。
【図２】本考案のPoE給電側スイッチングハブについて説明するための図。
【図３】本考案のPoE給電側スイッチングハブについて説明するための図。
【図４】本考案のPoE給電側スイッチングハブについて説明するための図。
【図５】（ａ）〜（ｄ）は本考案のPoE給電側スイッチングハブについて説明するための図。
【図６】（ａ）〜（ｅ）は本考案のPoE給電側スイッチングハブについて説明するための図。
【図７】本考案のPoE給電側スイッチングハブの一実施形態を示した機能ブロック図。
【図８】従来のPoE給電側スイッチングハブについて説明するための図。
【符号の説明】
【００５４】
１  モード選択スイッチ
２  ポート選択・設定用プッシュスイッチ
３  設定値選択ディップスイッチ
４  ポート状態・設定値確認用LED
５  モード表示用LED
６  リセットスイッチ
７  Power/Fault LED
８  PoEメータLED
９  PoE FEポート
１０  GbE T 状態LED
１１  アップリンク GbE コンボポート
１２  GbE SFP 状態LED
【図１】
0003126257.tif 000003
【図２】
0003126257.tif 000004
【図３】
0003126257.tif 000005
【図４】
0003126257.tif 000006
【図５】
0003126257.tif 000007
【図６】
0003126257.tif 000008
【図７】
0003126257.tif 000009
【図８】
0003126257.tif 000010